【事件の表示】
　特願２０００−５８５７０６「眼鏡フレーム」拒絶査定不服審判事件〔平成１２年　６月　８日国際公開、ＷＯ００／３３１２４、平成１４年　９月２４日国内公表、特表２００２−５３１８７２〕について、次のとおり審決する。
【結　論】
　本件審判の請求は、成り立たない。
【理　由】
第１　手続の経緯
　本願は、平成１１年（１９９９年）５月７日（パリ条約による優先権主張、平成１０年１１月２６日、オーストラリア）を国際出願日とする出願（特願２０００−５８５７０６号）であって、平成１９年１０月２２日付けで拒絶査定がなされ、これに対して、平成２０年１月２８日に拒絶査定不服審判の請求がなされたものである。
　
 第２　本願発明  
　本願の請求項１〜１７に係る発明は、平成１９年９月２６日付手続補正により補正された明細書の特許請求の範囲の請求項１〜１７に記載された事項に特定されるとおりのものであるところ、その請求項１に係る発明（以下「本願発明」という。）は、次のとおりのものである。
　
「横方向外側端部の方向に１対の主フレームアームが設けられた主フレーム前部と、前記主フレームアームに旋回自在に連結された１対のテンプルと、前記主フレームアームに固定された１対の主フレームラグとを有する主眼鏡フレーム、および
　各横方向外側端部に配置された１対の副フレームラグを有し、前記各副フレームラグが対応の前記主フレームラグの頂部に配置されて前記副眼鏡フレームを前記主眼鏡フレームに固定する副眼鏡フレームとを備えた眼鏡フレーム集成体であって、
　各対の対応主および副フレームラグにつき前記主および副フレームラグの１つには前記主および副フレームラグの他の１つに設けられた開口キャビティに収容しうる磁気部材が設けられ、前記開口キャビティは前記磁気部材の周辺壁部に係合する周辺壁部と、前記磁気部材の端面と係合する端壁とを有し、
　前記副フレームラグが、対応する前記主フレームラグ上に置かれ、
　前記キャビティの周辺壁部と前記端壁は少なくとも部分的に鉄材料で形成され、前記鉄材料は磁石でないことを特徴とする眼鏡フレーム集成体。」
　
第３　引用例
１　引用例１の記載事項
　原査定の拒絶の理由に引用された特開平９−１０１４８９号公報（以下「引用例１」という。）は、「着脱眼鏡取付装置」に関するもので、次の事項が記載されている。（後述の引用発明の認定において直接用いた記載に下線を付した。）
　
「【００１４】
【発明の実施の形態】以下、本発明の実施の形態を図面を参照して説明する。　図１は本発明に係る第１実施形態の主眼鏡（以下、眼鏡）の正面図、図２は同側面図、図３は同平面図である。
眼鏡１０は度付レンズ１１、１２と、度付レンズを支持するフレーム２０から構成されている。フレーム２０は度付レンズの外周に係合するリム２１、２２と、リム２１、２２を連結するブリッジ２３と、リムの上部外方に位置し、テンプル２５（図２参照）との連結部である第１のヨロイ部２４とからなる。
【００１５】図４はサングラス（着脱眼鏡）の正面図、図５はサングラスの平面図である。
サングラスは彩色の施されたレンズ３１、３２と、レンズ３１、３２を連結するブリッジ４１と、レンズ３１、３２のそれぞれ上部外方に位置し第１のヨロイ部２４に磁力によって吸着される第２のヨロイ部４２から構成されている。
【００１６】次に、図６を参照してサングラス取り付け部の構成について説明する。
サングラス取り付け部は、眼鏡の第１のヨロイ部２４と、サングラスの第２のヨロイ部４２から構成される。
【００１７】
第２のヨロイ部４２はその先端に第２の固着部４２ａ（接続部）を備えている。
第２の固着部４２ａは磁性体の金属、例えば鉄から成り、
【００１８】
サングラスを眼鏡に取り付ける場合は、第２のヨロイ部４２を第１のヨロイ部２４の上方から下方向Ａに向けて下ろし、第１のヨロイ部２４の上に乗せるように取り付ける。
　
「【００２０】以上のように本実施形態によれば、サングラスと眼鏡を、ヨロイ部２４、４２を相互に磁力を用いて吸着させるので、サングラスが眼鏡に上下方向に強固に固定される。すなわち、サングラスが眼鏡から外れて落ちることが防止される。なお、本実施形態では、眼鏡の第１のヨロイ部２４の第１の固着部２４ａに磁石が埋め込まれているがこれに限定するものではなく、サングラスの第２のヨロイ部４２の第２の固着部４２ａに磁石が埋め込まれていてもよく、あるいは、第１の固着部２４ａと第２の固着部４２ａの双方に磁石が埋め込まれていてもよい。」
　
「【００２３】図９は本発明に係る
第３実施形態のサングラス取付け部の受部の斜視図である。受部５０は磁石５１ａが埋め込まれた円筒形を有する固着部５１と、受部５０を後述するように眼鏡のヨロイ部６１（図９参照）に装着する装着部５２を有している。
【００２４】図１０は受部５０を一般の眼鏡に取り付けた状態を示す斜視図である。受部５０は、装着部５２のスロット５２ａに眼鏡６０のヨロイ部６１を差し込むことによりヨロイ部６１に取り付けられている。装着部５２のスロット５２ａは眼鏡６０のヨロイ部６１と嵌合する断面形状を有しているので、
受部５０は眼鏡６０のヨロイ部６１に固定される。
【００２５】受部５０のヨロイ部６１への装着はワンタッチ差込で行う。受部５０の装着部５２は樹脂を成形した物であり可撓性を有しているので、装着部５２のスリット５２ｂに力を加えてその幅をヨロイ部６１の厚さよりも広げることが可能であり、さらにその状態を保持したままヨロイ部６１の上面から受部５０を下方向に降ろせば装着部５２の復元力により装着部５２の下端がヨロイ部６１の下側に位置づけられる。これにより受部５０が装着部５２を介して眼鏡６０のヨロイ部６１に装着される。
【００２６】図１０に示す状態で、サングラスを眼鏡に取り付ける。サングラスは例えば、第１実施形態に用いたサングラスを使用する。取付方法は第１実施形態と同様である。」
　
２　引用発明の認定
　上記引用例１の記載事項から、引用例１には、
「眼鏡１０は度付レンズ１１、１２と、度付レンズを支持するフレーム２０から構成され、フレーム２０は度付レンズの外周に係合するリム２１、２２と、リム２１、２２を連結するブリッジ２３と、リムの上部外方に位置し、テンプル２５との連結部である第１のヨロイ部２４とからなり、
　サングラスは彩色の施されたレンズ３１、３２と、レンズ３１、３２を連結するブリッジ４１と、レンズ３１、３２のそれぞれ上部外方に位置し第１のヨロイ部２４に磁力によって吸着される第２のヨロイ部４２から構成され、第２のヨロイ部４２はその先端に第２の固着部４２ａ（接続部）を備えており、
　サングラス取り付け部については、眼鏡の第１のヨロイ部２４と、サングラスの第２のヨロイ部４２から構成されるものの変形例である第３実施形態のサングラス取付け部は、受部５０を有し、受部５０は磁石５１ａが埋め込まれた円筒形を有する固着部５１と、受部５０を後述するように眼鏡のヨロイ部６１に装着する装着部５２を有して、受部５０は眼鏡６０のヨロイ部６１に固定され、
　サングラスを眼鏡に取り付ける場合は、第２のヨロイ部４２を第１のヨロイ部２４の上方から下方向Ａに向けて下ろし、第１のヨロイ部２４の上に乗せるように取り付け、
　第２の固着部４２ａは磁性体の金属、例えば鉄から成る着脱眼鏡取付装置。」の発明（以下「引用発明」という）が記載されている。
　
３　引用例２の記載事項
　原査定の拒絶の理由に引用された特開平１０−１８６２９２号公報（以下「引用例２」という）には、次の事項が記載されている。
　
「【０００７】
【発明の実施の形態】以下、本発明の実施例を図面に基づいて説明する。図１〜図３に示すように、本発明の実施例による眼鏡に追加する付属枠の接合構造はメイン枠１０を含む。一方、その両側から凸桿１１が突出しているので、それぞれ１本の支持架１２が枢設できる。真中に配置されたブリッジコネクタ１３により、２枚の眼鏡のガラス用環状枠を連結し、またはそのガラスを直接に連結する。また、付属枠２０はメイン枠１０に接合されるため、真中にもブリッジコネクタ２１を設置する。それで、２枚の追加された付属ガラスの環状枠を連結し、またはそのガラスを直接に連結する。
【０００８】メイン枠１０のブリッジコネクタ１３に１つまたは１つ以上の第１磁性ユニットとしての磁性ユニット１４を設ける。付属枠２０のブリッジコネクタ２１にも１つまたは１つ以上の第２磁性ユニットとしての磁性ユニット２４を設け、また、止桿２２を後へ延させる。それで、メイン枠１０のブリッジコネクタ１３にかける。該止桿２２に１つまたは１つ以上の磁性ユニット２４を設置するので、メイン枠１０の磁性ユニット１４との吸引力により、快速にメイン枠１０に吸着できる。そのようなブリッジコネクタ２１の寸法に少し余分のサイズを入れ、または後へ折り曲げ、延されると、止桿２２は直接に形成され、わざわざ用意する必要がない。つまり、ブリッジコネクタ２１または止桿２２の寸法を考える場合、ただ、磁性ユニット２４の設置ができ、また、メイン枠のブリッジコネクタ１３に掛けることができるとよい。」
　
「【００１１】図７に示すように、ブリッジコネクタ１３に穴１３１を設け、ブリッジコネクタ２１のマグネット２４を嵌め込む。なお、図８に示すように、Ｃ型のブリッジコネクタ２１を採用してもよい。一対の磁性ユニット２４をそれぞれブリッジコネクタ１３の磁性ユニット１４の上、下に設置する。図９に示すように、付属枠２０に１つまたは複数の把手を設けることにより、ユーザがそれを便利に握る。さらに下へ延して止桿２９を形成すると、ブリッジコネクタ１３に掛けることにより、付属枠２０がメイン枠１０から脱離することを防ぐ。」
　
　【図７】から、ブリッジコネクタ２１のマグネット２４が、ブリッジコネクタ１３の穴１３１に嵌め込まれる突起部であることが見て取れる。
　
第４　対比
１　対比
　本願発明と引用発明とを対比する。
　
　引用発明の「第１のヨロイ部２４（ヨロイ部６１）」が本願発明の「主フレームアーム」に相当するから、引用発明の「リム２１、２２と、リム２１、２２を連結するブリッジ２３と、リムの上部外方に位置し、テンプル２５との連結部である第１のヨロイ部２４とから」なる部分の構造が、本願発明の「横方向外側端部の方向に１対の主フレームアームが設けられた主フレーム前部」に相当する。
　そして、引用発明の「（第３実施形態のサングラス取付け部における）受部５０」が、本願発明の「主フレームラグ」に相当することを勘案すれば、引用発明の「度付レンズ１１、１２と、度付レンズを支持するフレーム２０から構成され、フレーム２０は度付レンズの外周に係合するリム２１、２２と、リム２１、２２を連結するブリッジ２３と、リムの上部外方に位置し、テンプル２５との連結部である第１のヨロイ部２４とからなり」の記載、「テンプル２５」の記載、及び「第３実施形態のサングラス取付け部は、受部５０を有し、・・・受部５０は眼鏡６０のヨロイ部６１に固定され」の記載から認められるフレームの構造が、本願発明の「横方向外側端部の方向に１対の主フレームアームが設けられた主フレーム前部と、前記主フレームアームに旋回自在に連結された１対のテンプルと、前記主フレームアームに固定された１対の主フレームラグとを有する主眼鏡フレーム」に相当する。
　
　引用発明の「サングラス」が本願発明の「副眼鏡」に相当し、引用発明の「（第２のヨロイ部４２の先端の）第２の固着部４２ａ（接続部）」が本願発明の「副フレームラグ」に相当するといえるから、引用発明の「サングラスは彩色の施されたレンズ３１、３２と、レンズ３１、３２を連結するブリッジ４１と、レンズ３１、３２のそれぞれ上部外方に位置し第１のヨロイ部２４に磁力によって吸着される第２のヨロイ部４２から構成され、第２のヨロイ部４２はその先端に第２の固着部４２ａ（接続部）を備えており」の記載から認められるブリッジとヨロイ部と、本願発明の「各横方向外側端部に配置された１対の副フレームラグを有し、前記各副フレームラグが対応の前記主フレームラグの頂部に配置されて前記副眼鏡フレームを前記主眼鏡フレームに固定する副眼鏡フレームとを備えた眼鏡フレーム集成体」とは、「各横方向外側端部に配置された１対の副フレームラグを有し、前記各副フレームラグが対応の前記主フレームラグの頂部に配置されて前記副眼鏡部品を前記主眼鏡フレームに固定する副眼鏡部品とを備えた眼鏡部品」である点で一致する。
　
　引用発明の「第３実施形態のサングラス取付け部は、受部５０を有し、受部５０は磁石５１ａが埋め込まれた円筒形を有する固着部５１と、受部５０を後述するように眼鏡のヨロイ部６１に装着する装着部５２を有して、受部５０は眼鏡６０のヨロイ部６１に固定され」る点と、本願発明の「各対の対応主および副フレームラグにつき前記主および副フレームラグの１つには前記主および副フレームラグの他の１つに設けられた開口キャビティに収容しうる磁気部材が設けられ」る点とは、「各対の対応主および副フレームラグにつき前記主および副フレームラグの１つには磁気部材が設けられ」る点で一致している。
　
　引用発明の「サングラスを眼鏡に取り付ける場合は、第２のヨロイ部４２を第１のヨロイ部２４の上方から下方向Ａに向けて下ろし、第１のヨロイ部２４の上に乗せるように取り付け」る点は、本願発明の「前記副フレームラグが、対応する前記主フレームラグ上に置かれ」る点に相当する。
　
　引用発明の「第２の固着部４２ａは磁性体の金属、例えば鉄から成る」点と、本願発明の「前記キャビティの周辺壁部と前記端壁は少なくとも部分的に鉄材料で形成され、前記鉄材料は磁石でない」点とは、「各対の対応主および副フレームラグにつき磁気部材からなる前記主および副フレームラグと反対側の副および主フレームラグは少なくとも部分的に鉄材料で形成される」点で一致している。
　
　引用発明の「着脱眼鏡取付装置」と本願発明の「眼鏡フレーム集成体」とは、「眼鏡部品」である点で一致している。
　
２　一致点
　したがって、本願発明と引用発明は、
「横方向外側端部の方向に１対の主フレームアームが設けられた主フレーム前部と、前記主フレームアームに旋回自在に連結された１対のテンプルと、前記主フレームアームに固定された１対の主フレームラグとを有する主眼鏡フレーム、および
　各横方向外側端部に配置された１対の副フレームラグを有し、前記各副フレームラグが対応の前記主フレームラグの頂部に配置されて前記副眼鏡部品を前記主眼鏡フレームに固定する副眼鏡部品とを備えた眼鏡部品であって、
　各対の対応主および副フレームラグにつき前記主および副フレームラグの１つには磁気部材が設けられ、
　前記副フレームラグが、対応する前記主フレームラグ上に置かれ、
　各対の対応主および副フレームラグにつき磁気部材からなる前記主および副フレームラグと係合する副および主フレームラグは少なくとも部分的に鉄材料で形成される眼鏡部品。」の発明である点で一致し、次の各点で相違している。
　
３　相違点
（１）相違点１；
　本願発明は、副眼鏡が「副眼鏡フレーム」を有するのに対して、引用発明ではその限定がない点。
　
（２）相違点２；
　本願発明は、「主および副フレームラグの１つには前記主および副フレームラグの他の１つに設けられた開口キャビティに収容しうる磁気部材が設けられ、前記開口キャビティは前記磁気部材の周辺壁部に係合する周辺壁部と、前記磁気部材の端面と係合する端壁とを有し」ているのに対し、引用発明ではその限定がない点。
　
（３）相違点３；
　磁気材料と係合する鉄材料に関し、本願発明においては、開口キャビティの周辺壁部と端部を少なくとも部分的に形成する鉄材料が「磁石でない」のに対して、引用発明の磁気材料と係合する鉄材料については、その点が明確でない点。
　
第５　当審の判断
１　上記の相違点について検討する。
　
（１）相違点１について
　副眼鏡（主眼鏡に取り付けるサングラス）を縁ありとすることも、縁なしとすることも周知である（縁なしとすることについて、引用例２（【０００７】）参照）から、引用発明においても、縁なしのものを縁ありに変えて、上記相違点１に係る本願発明の発明特定事項を得ることは当業者が容易に想到し得た事項である。
　
（２）相違点２について
　相違点２は、主および副フレームラグの磁力による係合構造において、本願発明は、さらに、主および副フレームラグの一方の有底の穴部であるキャビティに他方の突起部を収容させる嵌合構造を有するのに対して、引用発明はその点の限定がない点の相違点である。
　主眼鏡を副眼鏡に磁力によって係合する構造において、一方の突起部を他方の穴部に挿入して係合する構造は、引用例２に記載されている。技術分野の共通性から、上記引用例２に記載された一方の突起部を他方の穴部に挿入して係合する磁力係合構造を、引用発明の主副のフレームラグの磁力係合構造に採用することは当業者が容易に想到することである。
　そして、一方の突起部を他方の穴部に挿入して係合する構造について、穴部を有底の穴部とすることは、種々の技術分野において周知の技術的事項であるから、引用発明に引用例２に記載された上記構造を採用するに際して、穴部を有底の穴部として、上記相違点２に係る本願発明の発明特定事項を得ることは当業者が容易になし得た事項である。
　
（３）相違点３について
　磁力により係合する係合構造において、係合する２部材について、両者を磁石とすることも、一方のみを磁石とすることも周知の技術である。この周知技術について、引用例１の【００２０】段落の記載参照。
　したがって、引用発明においても、必要に応じて「磁気材料と係合する鉄材料」が「磁石でない」として、上記相違点３に係る本願発明の発明特定事項を得ることは、当業者が容易に想到し得た事項である。
　
２　本願発明の奏する効果について
　そして、本願発明によってもたらされる効果は、引用発明、引用例２に記載された発明及び上記周知技術から当業者が予測し得る程度のものである。
　
３　まとめ
　したがって、本願発明は、引用発明、引用例２に記載された発明及び上記周知技術に基づいて当業者が容易に発明することができたものである。 
　
第６　むすび
　以上より、本願発明は、引用発明、引用例２に記載された発明及び上記周知技術に基づいて当業者が容易に発明をすることができたものであるから、特許法第２９条第２項の規定により特許を受けることができない。
　
　よって、結論のとおり審決する。